(57)【特許請求の範囲】
【請求項１】
箱型ケースの内底面に固定接点と支持台を配設し、該支持台を支点として略板状の可動接片を傾動自在に前記支持台上に載置させてシーソー式接触機構を構成するとともに、板状のケースカバーの略中央部に円筒状のブッシングを垂設し、該ブッシングに傾動球部を有した操作用レバーを左右傾動自在に係止してスイッチ頭部を構成し、該スイッチ頭部を前記ケース上方に載置固定してなる傾動形スイッチにおいて、前記レバーの下方に配設した前記可動接片上を摺動する絶縁性部材にて形成された中空の滑動棒をコイルバネを介して配設し、しかも前記レバーの下端部が前記滑動棒の中空部に収納されるように構成し、併せて前記レバーの傾動球部に対向平面部を形成するとともに、前記傾動球部上面に傘状の球面鍔部を形成し、前記対向平面部にねじりコイルバネを収納してレバーの戻り力に付勢させ、しかも前記球面鍔部と前記ブッシング間にＯリングを配設したことを特徴とする傾動形スイッチ。
【発明の詳細な説明】
【０００１】
【発明の属する技術分野】
本発明は、電気機器類で主に携帯用電動工具の入り切りに用いられる傾動形スイッチの構造に関する。
【０００２】
【従来の技術】
従来の傾動形スイッチにおいて、特に電動工具に用いられる自動復帰型の傾動形スイッチは、関連規格の絶縁特性を維持するため、接点ギャップやスイッチ内部のアース間距離を充分に確保する必要があり、携帯用の工具にあっても比較的大形のスイッチが採用されていた。
【０００３】
【発明が解決しようとする課題】
従来の傾動形スイッチでは、図４に示すように可動接片４６を押下する滑動棒６２が金属製レバー５１の下端内部を上下動する構造になっているため、金属製レバー５１の下端部５６が接点機構部分に近接し易く、可動接片など充電金属部とレバーなど非充電金属部間との空間距離を充分確保するためには、滑動棒６２を長くしたり、図５に示すように新たに絶縁体の転換子１００をレバー８１と滑動棒９２間に介在させるなどの必要があり、スイッチの高さが大きくなったり、コストが高くなっていた。また自動復帰型の傾動形スイッチにあっては、可動接片の傾斜を利用して復帰させる方法は可動接点と固定接点間の接点ギャップの充分な確保が困難であるため、左右保持型の可動接片を使用し、復帰バネをレバーに配設して接点ギャップを確保する手段がとられていたが、この場合には復帰バネを狭いブッシング内に配設するため、防塵・防水構造にすることが難しく、レバーとブッシングを一体的に覆う防水キャップを被せるなどの手段が採られていたが、手荒な扱いによっては防水キャップが破損して、絶縁特性が早期に劣化することがあった。
本発明は以上の問題点を解決するために発明されたものである。
【０００４】
【課題を解決するための手段】
ケースの内底面にシーソー式接触機構を内臓するスイッチ本体と、板状のケースカバーに円筒状のブッシングを垂設して傾動球部の回転軸を有した操作用レバーを左右傾動自在にブッシングに係止構成したスイッチ頭部とを組合わせてなる傾動形スイッチにおいて、レバーの下方に中空の滑動棒をコイルバネを介して配設するとともに、レバー下端周囲部が滑動棒の中空部内に収納されるように構成する。そして前記レバーの傾動球部に対向平面部を形成するとともに、前記傾動球部上面に傘状の球面鍔部を形成し、対向平面部にねじりコイルバネを収納してレバーの戻り力に付勢させ、しかも前記球面鍔部と前記ブッシング間にＯリングなどのパッキンを配設する。
【０００５】
【発明の実施の形態】
小形であるにもかかわらず、絶縁性能に優れていて、研磨粉や水滴が飛散する環境での使用にも耐えるので、モーター負荷など高容量で、かつ省スペースが要求される携帯用電動工具等に最適な傾動形スイッチを提供することができる。
【０００６】
【実施例】
以下、本実施例について図面を参照しながら詳細に説明する。
図１は本発明の実施例を表す正面断面図で、図２はその側面断面図、さらに図３はその分解斜視図である。これらの図において、箱型の絶縁部材にて形成されたケース１の内底面部の一方には固定接点２、他方に支持台３が、それぞれケース１を介して端子５をケース１の外部に向けて鋲加締めされている。そして固定接点２の上方に対向して可動接点８を加締めた可動接片６が、その耳部７を支点にして左右に傾動できるようにケース１のほぼ中央の支持台受部４に載置されている。
【０００７】
一方、板状のケースカバー１９には貫通する横穴１０を穿設した円筒状のブッシング９が加締めて固定してあり、回転軸穴１２を有する金属製のレバー１１の傾動球部１３に形成した対向平面部１４に反転用ねじりコイルバネ１８を挟持させてレバー１１の戻り力に付勢させ、ブッシング９内に組込んだ後、ねじりコイルバネ１８とレバー回転軸穴１２を貫通する横ピン１７をブッシング横穴１０に加締めて係止してある。さらに、前記傾動球部１３の上面には傘状の球面鍔部１５を形成し、この球面鍔部１５とブッシング内径の隙間にＯリング２８を配設してある。
【０００８】
そして、コイルバネ２１を収納した滑動棒２２を上下動自在にレバーの下端部１６に被せるよう取付けてスイッチ頭部２０を構成し、接点機構を内臓した前記ケース１の上方からスイッチ頭部２０を組立て、傾動形スイッチを構成する。
【０００９】
本発明の傾動形スイッチはレバー１１を操作することによって、可動接片６の上面をコイルバネ２１によって押圧された滑動棒２２が左右に摺動して、可動接片６を切換えるとともに、レバー１１から操作力が取り除かれると、ブッシング９内に配設されたねじりコイルバネ１８の反転力により、自動復帰するように作用する。
【００１０】
このように構成された傾動形スイッチは、レバー下端部１６が絶縁部材の滑動棒２２によってカバーされているので、充分な接点ギャップ２４を確保するために可動接片６の倒れ傾斜角度２５を大きく設定しても、可動接片６とレバー１１の空間距離２６を充分に確保することができるので、スイッチの高さを大きくする必要がなく、コンパクトで携帯用電動工具等に最適な傾動形スイッチを提供することができる。
【００１１】
また、中空滑動棒２２内に収納されるコイルバネ２１の巻径２７を、レバー内部に収納する従来の場合と比べて、大きく設計することができるため、コイルバネ２１の耐久性が向上し、堅牢で長寿命の傾動形スイッチを構成することができる。
【００１２】
さらに、レバー１１の球面鍔部１５とブッシング９の間にＯリング２８を配設したので、工具によって粉砕された切削粉や、冷却水などがスイッチの内部に浸入することがなく、安全で信頼性の高い傾動形スイッチを提供することができるという特徴を有する。
【００１３】
なお、本実施例では、自動復帰型の傾動スイッチについて記述したが、保持型傾動スイッチや、中立保持型など他の操作形態の傾動スイッチに応用することが可能である。また、可動接片６の形状についても、略板状の可動接片６について記述したが、接点間隙を大きく設定する方法として、弓状に形成してもよい。さらに、滑動棒２２の上方に大きく円盤状の鍔を設けることで、より長い絶縁距離を確保するとともに、傾動部からの金属摩耗粉を円盤状の鍔で受止めて絶縁性能を更に向上させることも可能である。
【００１４】
【発明の効果】
以上、詳細に説明したように、本発明によれば次のような効果を奏することができる。
（１）シーソー式接触機構を内蔵した傾動形スイッチの金属製レバーの下端部が絶縁部材の滑動棒の中空部に収納されるように構成したので、充分な接点ギャップを確保するために可動接片の倒れ傾斜角度を大きく設定しても、金属製のレバー下端周辺部が絶縁部材の滑動棒によってカバーされているので、可動接片との絶縁距離を大きく確保することができる。
（２）シーソー式接触機構を内蔵した傾動形スイッチの金属製レバーの下端部が絶縁部材の滑動棒の中空部に収納されるように構成したので、特にスイッチの高さを低くできるため、携帯用電動工具等に最適な傾動形スイッチを提供することができる。
（３）シーソー式接触機構を内蔵した傾動形スイッチの金属製レバーの下端部が絶縁部材の滑動棒の中空部に収納されるように構成したので、中空滑動棒内に収納されるコイルバネの巻径を大きく設計することができるため、コイルバネの耐久性が向上し、堅牢で操作感の良い傾動形スイッチを構成することができる。
（４）レバー傾動球部の上面に球面状の鍔部を形成し、さらにこの鍔部とブッシングの間にＯリングを配設したので、工具によって粉砕された切削粉や、水などがスイッチの内部に浸入することのない、安全で信頼性の高い傾動形スイッチを提供することができる。
【図面の簡単な説明】
【図１】本発明の傾動形スイッチの実施例を表す正面断面図である。
【図２】本発明の傾動形スイッチの実施例を表す側面断面図である。
【図３】本発明の傾動形スイッチの実施例を表す分解斜視図である。
【図４】従来の傾動形スイッチを表す正面断面図である。
【図５】従来の傾動形スイッチを表す正面断面図である。
【符号の説明】
１  ケース
２  固定接点
３  支持台
４  受部
５  端子
６、４６  可動接片
７  耳部
８  可動接点
９、４９、７９  ブッシング
１０  横穴
１１、５１、８１  レバー
１２  回転軸穴
１３  傾動球部
１４  対向平面部
１５  球面鍔部
１６、５６  下端部
１７  横ピン
１８  ねじりコイルバネ
１９  ケースカバー
２０  スイッチ頭部
２１、６１、９１  コイルバネ
２２、６２、９２  滑動棒
２３  中空部
２４  接点ギャップ
２５  倒れ傾斜角度
２６、６６  空間距離
２７、６７  巻径
２８  Ｏリング
２９  ネジ
３０  ガイド
１００  転換子
【図１】
0004070041.tif 000002
【図２】
0004070041.tif 000003
【図３】
0004070041.tif 000004
【図４】
0004070041.tif 000005
【図５】
0004070041.tif 000006